(57)【要約】【課題】電気部品を支持部品に強固に固定し支持させる場合であって、かつ、フレキシブルプリント基板面に対して略平行に突出するリード線を有する電気部品を使用する場合であっても、組み立て及び分解作業性が良好で、確実な接続を行うことができる電気部品とフレキシブルプリント基板との実装構造を提供する。【解決手段】フレキシブルプリント基板２のＢ面上に、導体パターンが露出したランド部２ｃを設け、ランド部２ｃの近傍に貫通孔２ｂを設ける。Ｂ面と反対側のＡ面側にあるスライドスイッチ１から突出したリード線１ｂを、フレキシブルプリント基板２の垂線から角度を持って斜めに貫通孔２ｂを通過し、ランド部２ｃに半田付けする。【選択図】                図１
2004172352.tif 000002
【特許請求の範囲】
【請求項１】
第１の面上にあって導体パターンが露出したランド部及び前記ランド部の近傍に設けられた貫通孔を備えるフレキシブルプリント基板と、
前記フレキシブルプリント基板の前記第１の面と反対側の第２の面側に実装される電気部品と、
を備える電気部品とフレキシブルプリント基板との実装構造であって、
前記電気部品から突出した端子であるリード部は、前記フレキシブルプリント基板の前記貫通孔位置における法線に対して角度を持って斜めに前記貫通孔を通過して前記ランド部に半田付けされており、
前記フレキシブルプリント基板は、前記電気部品の前記リード部を延長した方向に延在する部分であって、前記第２の面側に、製品への組み付け状態において近接する固定部品に前記フレキシブルプリント基板の弾性変形を伴い当接する当接部を有すること、
を特徴とする電気部品とフレキシブルプリント基板との実装構造。
【請求項２】
請求項１に記載の電気部品とフレキシブルプリント基板との実装構造において、
前記リード部は、前記電気部品が前記フレキシブルプリント基板へ実装されたときに前記フレキシブルプリント基板の第２の面に略接する前記電気部品の面に略平行に突出し、
前記電気部品は、前記フレキシブルプリント基板の第２の面に略接する面と反対側の面が、他の部品に対して固定されること、
を特徴とする電気部品とフレキシブルプリント基板との実装構造。
【発明の詳細な説明】
【０００１】
【発明の属する技術分野】
本発明は、突出したリード部を有する電気部品とフレキシブルプリント基板との実装構造に関するものである。
【０００２】
【従来の技術】
従来、大きな電気部品をフレキシブルプリント基板へ実装する実装構造としては、フレキシブルプリント基板面に対して電気部品から略垂直に延びるリード線を、フレキシブルプリント基板に形成された孔に通し、フレキシブルプリント基板上の電気部品がある側と反対側の面に半田付けすることが一般的であった。
【０００３】
しかし、ハウジングからリード線がフレキシブルプリント基板面に対して略垂直に向かって出ている電気部品では、リード線の先端が製品の内部部品と干渉してしまうことがある。また、その先端を切断することもできるが、半田付け後に手作業で切断する必要があり、製造コストが高くなってしまう。
したがって、製品の構造都合、許容スペースの都合等により、ハウジングよりフレキシブルプリント基板面に対して略平行に突出するリード線を有する電気部品を使用することが必要となる場合が多い（例えば、特許文献１参照）。
【０００４】
一方、製品の使用者が直接操作するスイッチなどの電気部品では、図２に示すように、電気部品（図示した例では、スライドスイッチ１）を支持部品（図示した例では、スイッチカバー３）に強固に固定し支持させる場合がある。
さらに、電気部品を支持部品に強固に固定し支持させる場合であって、かつ、上述のようにハウジングよりフレキシブルプリント基板面に対して略平行に突出するリード線を有する電気部品を使用することが必要な場合がある（図２参照）。
【０００５】
図２は、従来の実装構造を示す図である。図２（ａ）は、斜視図を示し、図２（ｂ）は、側面図を示している。
図２に示す従来の実装構造は、電気部品を支持部品に強固に固定し支持させる場合であって、上述のようにハウジングよりフレキシブルプリント基板面に対して略平行に突出するリード線を有する電気部品を使用することが必要な場合の実装構造の一例である。
スライドスイッチ１は、ハウジング１ａ，リード線１ｂ，レバー１ｃを有したスイッチ部品である。リード線１ｂは、ハウジング１ａがフレキシブルプリント基板２に接する面に平行に突出している。
【０００６】
フレキシブルプリント基板２は、導体パターンが露出したランド部２ａをＡ面側に有し、このランド部２ａにリード線１ｂを半田付け固定（Ｈ部）することにより、スライドスイッチ１が実装されている。なお、以下の説明において、フレキシブルプリント基板２のＡ面とは、スライドスイッチ１が実装される側の面を示し、Ｂ面とは、その反対側の面を示すものとする。
スイッチカバー３は、不図示の機器本体に取り付けられる部品であり、操作部３ａが矢印Ｄ方向にスライド可能に取り付けられている。
【０００７】
図２に示すような実装構造を行う場合、以下の２種類の方法を採ることができる。
（１）フレキシブルプリント基板のランド部２ａとスライドスイッチ１のリード線１ｂとを半田付けした後、そのリード線１ｂを有するスライドスイッチ１のハウジング１ａをスイッチカバー３に接着等で固定する方法。
（２）スライドスイッチ１のハウジング１ａをスイッチカバー３に接着等で固定した後、そのスライドスイッチ１のリード線１ｂとフレキシブルプリント基板のランド部２ａとを半田付けする方法。
なお、フレキシブルプリント基板２の図示しない他端は、製品本体（不図示）内奥部に設けられた主基板（不図示）に事前に接続され、スイッチカバー３は、上記（１）又は（２）に示した処置を行った後、製品本体の表面上にビス等で固定されている。
【０００８】
【特許文献１】
特開平９−１８１１２号公報
【０００９】
【発明が解決しようとする課題】
しかし、上述した（２）の方法では、半田付けを行う部分がフレキシブルプリント基板２に隠れて表面に現れない。特に手付け作業においては、フレキシブルプリント基板２のランド部２ａとスライドスイッチ１のリード線１ｂとの位置合わせが非常に困難であるという問題があった。
【００１０】
また、上述の（１）（２）いずれの方法であっても、例えば修理等の理由でスイッチカバー３を製品本体から完全に分離する必要が生じた場合、スライドスイッチ１をスイッチカバー３から外すのは強固な接着等により困難であり、仮に接着を剥がすことができたとしても、作業中に接続半田部を痛めてしまうおそれがあった。
【００１１】
さらに、スライドスイッチ１をスイッチカバー３に固定したままで、リード線１ｂとフレキシブルプリント基板２のランド部２ａとの半田接続を解く作業も、半田付け部がフレキシブルプリント基板２に隠れて表面に現れず、非常に困難である。
このように、上述の（１）（２）いずれの方法であっても、分解時の作業性が悪いという問題があった。
【００１２】
さらにまた、電装上の事情などから、フレキシブルプリント基板２のランド部２ａが図２（ｂ）に示したＢ面側にしか設けられない場合、リード線１ｂとランド部２ａとが半田付け出来ず、上記構造自体成立しなくなってしまうという問題があった。
【００１３】
本発明の課題は、電気部品を支持部品に強固に固定し支持させる場合であって、かつ、フレキシブルプリント基板面に対して略平行に突出するリード線を有する電気部品を使用する場合であっても、組み立て及び分解作業性が良好で、確実な接続を行うことができる電気部品とフレキシブルプリント基板との実装構造を提供することである。
【００１４】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、第１の面（Ｂ）上にあって導体パターンが露出したランド部（２ｃ）及び前記ランド部の近傍に設けられた貫通孔（２ｂ）を備えるフレキシブルプリント基板（２）と、前記フレキシブルプリント基板の前記第１の面と反対側の第２の面（Ａ）側に実装される電気部品（１）と、を備える電気部品とフレキシブルプリント基板との実装構造であって、前記電気部品から突出した端子であるリード部（１ｂ）は、前記フレキシブルプリント基板の前記貫通孔位置における法線に対して角度を持って斜めに前記貫通孔を通過して前記ランド部に半田付けされており、前記フレキシブルプリント基板は、前記電気部品の前記リード部を延長した方向に延在する部分であって、前記第２の面側に、製品への組み付け状態において近接する固定部品（３）に前記フレキシブルプリント基板の弾性変形を伴い当接する当接部（２ｄ）を有すること、を特徴とする電気部品とフレキシブルプリント基板との実装構造である。
【００１５】
請求項２の発明は、請求項１に記載の電気部品（１）とフレキシブルプリント基板（２）との実装構造において、前記リード部（１ｂ）は、前記電気部品が前記フレキシブルプリント基板へ実装されたときに前記フレキシブルプリント基板の第２の面（Ａ）に略接する前記電気部品の面に略平行に突出し、前記電気部品は、前記フレキシブルプリント基板の第２の面に略接する面と反対側の面が、他の部品（３）に対して固定されること、を特徴とする電気部品とフレキシブルプリント基板との実装構造である。
【００１６】
【発明の実施の形態】
以下、図面等を参照しながら、本発明の実施の形態について、更に詳しく説明する。
（第１実施形態）
図１は、本発明による実装構造の実施形態を示す図である。図１（ａ）は、斜視図を示し、図１（ｂ）は、側面図を示している。
なお、前述した従来例と同様の機能を果たす部分には、同一の符号を付して、重複する説明を適宜省略する。
【００１７】
フレキシブルプリント基板２には、スライドスイッチ１のリード線１ｂが貫通可能な貫通孔２ｂが設けてある。また、フレキシブルプリント基板２のＢ面（第１の面）側の貫通穴２ｂ周辺には、リード線１ｂに接続される導体パターンの露出部であるランド部２ｃが設けてある。さらに、フレキシブルプリント基板２は、図１（ｂ）に示すように、その外形の一部であり、スライドスイッチ１のリード線１ｂを延長した方向に延在する部分であって、Ａ面（第２の面）側が当接する部分に、製品への組み付け状態において近接するスイッチカバー３にフレキシブルプリント基板２の弾性変形を伴い当接する当接部２ｄを有している（図中のＣ部）。
【００１８】
リード線１ｂは、ランド部２ｃとの間で、半田付け（Ｈ部）されている。
なお、スイッチカバー３は、不図示の機器本体に取り付けられる部品であるが、本実施形態では、カメラのレンズ鏡筒部分に取り付けられる部品である。
【００１９】
次に、本実施形態における実装構造の組み立て手順を説明する。
まず、スライドスイッチ１をスイッチカバー３に接着等で固定する。
次に、フレキシブルプリント基板２の貫通穴２ｂにスライドスイッチ１のリード線１ｂを通し、フレキシブルプリント基板２のＢ面側からランド部２ｃとリード線１ｂとの間を半田付けする（Ｈ部）。
その後、スイッチカバー３を製品本体（不図示）表面上に固定する。
【００２０】
以上のような実装構造とすることにより、製品の許容スペースの都合等により、ハウジング１ａからフレキシブルプリント基板２の面に対して略平行に突出するリード線１ｂを有するスライドスイッチ１を使用する場合であっても、以下のように、従来の問題点を解決することができる。
【００２１】
（１）修理等の理由でスイッチカバー３を製品本体から完全に分離する必要が生じた場合でも、まずスイッチカバー３を製品本体から外した後、フレキシブルプリント基板２のＢ面よりランド部２ｃとリード線１ｂとの間の半田付けを解けば、フレキシブルプリント基板２のみが製品本体側に残り、スイッチカバー３は、スライドスイッチ１が固定されたまま製品本体から完全に分離することができる。よって、スライドスイッチ１をスイッチカバー３から外す必要がないため、作業性、半田接続部の損傷のおそれもなく、スライドスイッチ１をスイッチカバー３に対して強固に接着固定することができる。
【００２２】
（２）スライドスイッチ１をスイッチカバー３に固定したままの状態でも、フレキシブルプリント基板２の貫通穴２ｂにスライドスイッチ１のリード線１ｂを通すことで、ランド部２ｃとリード線１ｂとの位置決めが容易にでき、かつ、フレキシブルプリント基板２のＢ面側からランド部２ｃとリード線１ｂとを半田付けにより接続することができるので、作業性を向上することができる。
【００２３】
（３）フレキシブルプリント基板２は、図１（ｂ）のＣ部に示したように、その外形の一部である当接部２ｄが近接するスイッチカバーに当接しているため、フレキシブルプリント基板２には、図１（ｂ）中におけるＱ方向（ランド部２ｃとリード線１ｂが圧接される方向）に突っ張り力が働き、フレキシブルプリント基板２のランド部２ｃリード線１ｂ間の半田付けによる導通を保護する効果が生じ、接続の信頼性を向上することができる。
【００２４】
（４）電装上の事情などから、フレキシブルプリント基板２のランド部２ｃが図１におけるＢ面側にしか設けられない場合であっても、対応可能となる。
【００２５】
（変形形態）
以上説明した実施形態に限定されることなく、種々の変形や変更が可能であって、それらも本発明の均等の範囲内である。
例えば、本実施形態において、スイッチカバー３は、カメラのレンズ鏡筒部分に取り付けられる部品である例を示したが、これに限らず、どのような製品であってもよい。
【００２６】
【発明の効果】
以上詳しく説明したように、本発明によれば、電気部品を支持部品に強固に固定し支持させる場合であって、かつ、フレキシブルプリント基板面に対して略平行に突出するリード線を有する電気部品を使用する場合であっても、組み立て及び分解作業性が良好で、確実な接続を行うことができる。したがって、電気部品を実装する部分の厚さを薄くすることができ、製品をより小型にすることができたり、設計上の自由度を高くしたりすることができる。
【図面の簡単な説明】
【図１】本発明による実装構造の実施形態を示す図である。
【図２】従来の実装構造を示す図である。
【符号の説明】
１  スライドスイッチ
１ａ  ハウジング
１ｂ  リード線
１ｃ  レバー
２  フレキシブルプリント基板
２ｂ  貫通孔
２ｃ  ランド部
３  スイッチカバー
３ａ  操作部
【図１】
2004172352.tif 000003
【図２】
2004172352.tif 000004